(57)【要約】【課題】はしご編みの製作に際し、両芯糸相互間に狭まりを生じさせない製作補助具を提供する。【解決手段】製作対象であるはしご編み（１２）は互いに平行な２つの芯糸（１８，２０）と、両芯糸の一方から他方へまた両芯糸の他方から一方へと交互に掛け渡され、両芯糸にタッチング結びをされた１つの結び糸（２６）とからなる。はしご編みの製作補助具（１０）は、両芯糸への結び糸のタッチング結びにより生じる複数の結び目（２２、２４）に対する当接箇所を規定する２つの平行な側縁（２８ａ、２８ｂ）を有する定規（２８）からなる。【選択図】図３
2019196560.tif 000002
【特許請求の範囲】
【請求項１】
互いに平行な２つの芯糸と、両芯糸の一方から他方へまた両芯糸の他方から一方へと交互に掛け渡され、両芯糸にタッチング結びをされた１つの結び糸とからなるはしご編みの製作補助具であって、
両芯糸への前記結び糸のタッチング結びにより生じる複数の結び目に対する当接箇所を規定する２つの互いに平行な側縁を有する定規からなる、製作補助具。
【請求項２】
前記定規は細長いプレートからなる、請求項１に記載の製作補助具。
【請求項３】
前記プレートは弾性変形可能である、請求項２に記載の製作補助具。
【請求項４】
前記プレートは、その両側縁に連なる端から両側縁間を任意の方向へ伸びる少なくとも１つの切れ込みを有する、請求項２に記載の製作補助具。
【請求項５】
前記プレートは、その両面の一方に設けられその両端の一方から他方まで直線状に伸びる折り溝を有する、請求項２に記載の製作補助具。
【請求項６】
前記プレートの各側縁は減摩皮膜で覆われている、請求項２に記載の製作補助具。
【請求項７】
前記定規は細長いプレートであってその両面の一方に設けられその両端の一方から他方まで直線状に伸びる折り溝を有するプレートと、
前記プレートの両端の少なくとも一方に解除可能に被されたキャップとからなる、請求項１に記載の製作補助具。
【請求項８】
前記定規は、その両側縁の少なくとも一方に設けられた、前記はしご編みの製作長さの目安を示す印を有する、請求項１に記載の製作補助具。
【請求項９】
前記定規は矩形状又は梯子状のフレームからなる、請求項１に記載の製作補助具。
【請求項１０】
前記定規はＣ形の横断面形状を有する扁平な筒状体からなる、請求項１に記載の製作補助具。
【請求項１１】
前記定規はその両側縁の伸長方向へ滑動可能にまた分離可能に組み合わされた３つの部材からなる、請求項１に記載の製作補助具。
【請求項１２】
２つの互いに平行な側縁を有する定規と、２つの芯糸と、１つの結び糸とを準備すること、
前記定規と、両芯糸と、前記結び糸とをこれらの一部において任意の物体に解除可能に固定すること、
両芯糸のうちの一方の芯糸に対する前記結び糸のタッチング結びにより前記一方の芯糸に結び目を形成すること、
前記一方の芯糸に形成された結び目を前記定規の両側縁のうちの一方の側縁に当接させること、
前記定規の両面の一方上において前記結び糸を前記一方の芯糸から他方の芯糸に掛け渡すこと、
前記他方の芯糸に対する前記結び糸のタッチング結びにより前記他方の芯糸に結び目を形成すること、
前記他方の芯糸に形成された結び目を前記定規の他方の側縁に当接させること、
前記定規の両面の他方下において前記結び糸を前記他方の芯糸から前記一方の芯糸に掛け渡すこと、
両芯糸に対する前記結び目の形成及び前記結び糸の掛け渡しを繰り返し行うことを含む、はしご編みの製作方法。
【発明の詳細な説明】
【技術分野】
【０００１】
本発明は、マクラメはしご編み、マクラメフレーム編み、マクラメ石包み等とも称されるはしご編みの製作の補助に供される製作補助具と、前記製作補助具を用いてはしご編みを製作する方法とに関する。
【背景技術】
【０００２】
はしご編みの１つとして、互いに平行な２つの芯糸と、両芯糸間に掛け渡され、両芯糸のそれぞれにタッチング結びをされ結び目を形成する結び糸とからなるものがある。前記はしご編みの製作においては、その幅寸法が一定となるように、両芯糸を平行状態に維持することが求められる。従来、両芯糸を平行に張る製作補助具が提案されている。しかし、実際には、タッチング結びによる結び目の形成に際し、結び糸に引張力が加わるため、両芯糸相互間に間隔が狭まる個所が生じるという問題があった。
【先行技術文献】
【特許文献】
【０００３】
【特許文献１】実用新案登録第３１７０２３１号公報
【発明の概要】
【発明が解決しようとする課題】
【０００４】
本発明は、はしご編みの製作に際し、両芯糸相互間に狭まりを生じさせない製作補助具及び該製作補助具を用いたはしご編みの製作方法を提供する。
【課題を解決するための手段】
【０００５】
本発明は、互いに平行な２つの芯糸と、両芯糸の一方から他方へまた両芯糸の他方から一方へと交互に掛け渡され、両芯糸にタッチング結びをされた１つの結び糸とからなるはしご編みの製作補助具に係る。前記製作補助具は、両芯糸への前記結び糸のタッチング結びにより生じる複数の結び目に対する当接箇所を規定する２つの互いに平行な側縁を有する定規からなる。
【０００６】
また、本発明に係る前記はしご編みの製作方法は、２つの互いに平行な側縁を有する定規と、２つの芯糸と、１つの結び糸とを準備すること、前記定規と、両芯糸と、前記結び糸とを任意の物体（例えばボード）に解除可能に固定すること、両芯糸のうちの一方の芯糸に対する前記結び糸のタッチング結びにより前記一方の芯糸に結び目を形成すること、前記一方の芯糸に形成された結び目を前記定規の両側縁のうちの一方の側縁に当接させること、前記定規の両面の一方上において前記結び糸を前記一方の芯糸から他方の芯糸に掛け渡すこと、前記他方の芯糸に対する前記結び糸のタッチング結びにより前記他方の芯糸に結び目を形成すること、前記他方の芯糸に形成された結び目を前記定規の他方の側縁に当接させること、前記定規の両面の他方下において前記結び糸を前記他方の芯糸から前記一方の芯糸に掛け渡すこと、両芯糸に対する前記結び目の形成及び前記結び糸の掛け渡しを繰り返し行うことを含む。
【０００７】
本発明によれば、はしご編みの製作に際し、両芯糸に対する前記結び糸のタッチング結びによる複数の結び目の形成をそれぞれ前記定規の両側縁上において行いまた形成された複数の結び目をそれぞれ前記定規の両側縁に当接させた状態におくことができる。このことから、一方の芯糸及び該芯糸に形成された１列の複数の結び目と、他方の芯糸及び該芯糸に形成された１列の複数の結び目とは、それぞれ、前記定規の互いに平行な両側縁に沿って整列し、これにより、両芯糸相互間における狭まりの発生が防止される。
【０００８】
前記定規は、例えば紙製、プラスチック製、金属製等の細長いプレートからなるものとすることができる。前記プレートは構造的に単純でありまた比較的軽量であり、前記はしご編みの製作上、取扱い性、携帯性等に優れる。前記プレートは好ましくは弾性変形可能である。これによれば、前記プレートを平坦な形態から湾曲した形態へと弾性変形させることにより、製作後におけるはしご編みの２列の結び目と前記プレートの両側縁との当接を解除することができる。これにより、前記２列の結び目相互間からの前記プレートの抜き出しをより円滑にすることができる。
【０００９】
前記プレートはその両側縁に連なる端を有し、また、前記プレートに設けられ前記端から任意の方向へ伸びる少なくとも１つの切れ込みを有するものとすることができる。これによれば、両芯糸及び前記結び糸の一部、例えばこれらの端部を前記切れ込みに通して前記プレートに引掛けた状態におくことができる。このことから、前記はしご編みの製作に際して、前記切れ込みが無い場合と比べて、前記任意の物体に対する前記プレート、両芯糸及び前記結び糸の固定をより容易に行うことができる。
【００１０】
前記プレートは、その両面の一方に設けられその両端の一方から他方まで直線状に伸びる折り溝を有するものとすることができる。これによれば、前記プレートを平坦な形態から前記折り溝に沿って山形に折り曲げられた形態に変えることができる。これにより、前記２列の結び目に対する前記プレートの両側縁の接触を解除し、前記２列の結び目相互間からの前記プレートの抜き出しをより円滑にすることができる。
【００１１】
また、前記プレートの各側縁をフッ素樹脂皮膜のような減摩皮膜で覆われたものとすることができる。これによれば、前記プレートの抜き出しの際における前記２列の結び目に対する前記プレートの両側縁の摩擦抵抗を低減することができ、これにより前記２列の結び目相互間からの前記プレートの抜き出しをより円滑にすることができる。これは、前記芯糸及び前記結び糸が金、銀、ステンレス、アルミニウム、鉄、ニッケル、銅等の金属糸からなる場合に特に好ましい。
【００１２】
前記定規は、前記折り溝が設けられた細長いプレートと、該プレートの両端部の少なくとも一方に解除可能に被せられたキャップとからなるものとすることができる。これによれば、前記プレートの端部にキャップを被せることにより前記プレートを平坦な状態に維持し、また、取り外すことにより、前記プレートを前記折り溝に沿って折り曲げられた状態とすることができる。
【００１３】
前記定規は、その両側縁の少なくとも一方に設けられた、前記はしご編みの製作長さの目安を示す印を有するものとすることができる。これによれば、両芯糸に対して行うべき前記結び糸のタッチング結びの終了箇所のおおよその位置を知ることができる。
【００１４】
前記定規は、これを前記プレートとすることに代えて、矩形状又は梯子状のフレームからなるもの、Ｃ形の横断面形状を有する扁平な筒状体からなるもの、その両側縁の伸長方向へ滑動可能にまた分離可能に組み合わされた３つの部材からなるもの等とすることができる。
【図面の簡単な説明】
【００１５】
【図１】はしご編みの概略的な平面図である。
【図２】カボションの周囲をはしご編みで取り囲んでなるペンダントの一例を示す概略的な正面図である。
【図３】本発明に係る製作補助具を構成する定規の一例であるプレートの斜視図であって、（ａ）は平坦な形態にあるプレートを示し、（ｂ）は湾曲した形態にあるプレートを示す。
【図４】本発明に係る製作方法の最初の工程を示す説明図である。
【図５】製作方法の次の工程に進んだ状態を示す説明図である。
【図６】製作方法のさらに進んだ工程を示す説明図である。
【図７】（ａ）は、切れ込みを有するプレートからなる定規であって２つの芯糸及び結び糸が前記切れ込みに通され、定規に引掛けられた状態にある定規の部分正面図である。（ｂ）はクリップにより両芯糸及び結び糸が前記プレートに固定された状態にある定規の部分正面図である。
【図８】（ａ）はプレート及びキャップからなる定規の正面図であり、（ｂ）はキャップを取り外され、山形に折り曲げられたプレートの斜視図である。
【図９】Ｃ形の横断面形状を有する扁平な筒状体からなる定規の斜視図である。
【図１０】定規を構成する３つの部材の組立体の斜視図であり（ａ）は組み立てられた状態を示し、（ｂ）は分解された状態を示す。
【発明を実施するための形態】
【００１６】
図１を参照すると、本発明に係る製作補助具１０（図３参照）及び後述する製作方法を適用して得られたはしご編みが全体に符号１２で示されている。また、図２を参照すると、得られたはしご編み１２でカボション１４を包んでなるペンダントが全体に符号１６で示されている。
【００１７】
再び、図１を参照すると、はしご編み１２は、互いに平行な２つの芯糸１８、２０と、両芯糸の一方（１８）から他方（２０）へまた両芯糸の他方（２０）から一方（１８）へと交互に掛け渡されかつ両芯糸１８、２０にそれぞれタッチング結びをされ複数の結び目２２、２４を形成する１つの結び糸２６とからなり、結び糸２６は両芯糸１８、２０間をこれらの伸長方向へジグザグに伸びている。
【００１８】
両芯糸１８、２０のうちの一方の芯糸１８に形成された複数の結び目２２は一方の芯糸１８の伸長方向へ互いに隣接し、一方の芯糸１８に沿って１の列をなしている。同様に、両芯糸１８、２０のうちの他方の芯糸２０に形成された複数の結び目２４は他方の芯糸２０の伸長方向に互いに隣接し、他方の芯糸２０に沿って１の列をなしている。
【００１９】
はしご編み１２の製作長さ（又は各列の結び目２２、２４の個数）及び幅（両芯糸１８、２０間の相互間隔）は、包まれるカボション１４の大きさ、厚さ等に応じて任意に設定される。両芯糸１８、２０及び結び糸２６の材質、太さ等はカボション１４の色、大きさ等に応じて、また装飾性を考慮して任意に定められる。
【００２０】
図３（ａ）に示すように、製作補助具１０は定規２８からなり、定規２８は２つの平行な直線状に伸びる側縁２８ａ、２８ｂと、互いに相対する両面（一方の面及び他方の面）２８ｃ、２８ｄと、両側縁２８ａ、２８ｂに連なる両端（一端及び他端）２８ｅ、２８ｆとを有する。定規２８の両側縁２８ａ、２８ｂは、それぞれ、両芯糸１８、２０に対する結び糸２６の前記タッチング結びにより生じる２列の複数の結び目２２、２４に対する当接箇所を規定する（図５及び図６参照）。両側縁２８ａ、２８ｂはそれぞれ２つの同一形状の平坦面（図３、図８、図１０参照）、２つの円弧状の湾曲面（図９参照）、２つの山形面（図示せず）等からなる。また、両面２８ｃ、２８ｄは、それぞれ、互いに平行な２つの同一形状の平坦面（図３、図８、図９、図１０参照）、互いに他の一方に対して凸状をなす２つの同一形状の円弧面（図示せず）等からなる。さらに、両端２８ｅ、２８ｆの形状、すなわち両端面の形状は、それぞれ、平坦面（図３、図９、図１０参照）、湾曲面（図示せず）等からなるものとすることができる。
【００２１】
図示の定規２８は細長いプレートからなる。前記プレートは全体に細長い平面形状を有する紙製（好ましくはアート紙、厚紙等）、あるいは、プラスチック製、金属製等のものからなる。前記プレートはそれ自体がその平坦な形態を維持することができる厚さ寸法を有する。また、前記プレートは好ましくは弾性変形可能である。これによれば、図３（ｂ）に示すように、前記プレートの幅方向に関して一時的に湾曲させ、その後元の平坦な形状に戻すことができる。また、好ましくは、定規２８は、その両側縁２８ａ、２８ｂの少なくとも一方に設けられた、製作されるはしご編み１２の長さ（製作長さ）の目安を示す印、例えば目盛３０を有する。
【００２２】
次に、図４〜図６を参照して、図３に示す定規２８を用いて行うはしご編み１２の製作方法について説明する。
【００２３】
まず、定規２８と、２つの芯糸１８、２０及び１つの結び糸２６とを準備し、図４に示すように、定規２８の一部（好ましくはその一端２８ｅを含む端部）、両芯糸１８、２０の一部（例えば端部）及び結び糸２６の一部（例えば端部）とを任意の物体、例えばボード３２の表面上に解除可能に固定する。ボード３２への固定は、例えばクリップ３４を用いて、定規２８の前記端部と、両芯糸１８、２０の端部と、結び糸２６の端部とをボード３２の周縁部に挟み付けることにより行う。
【００２４】
図示の例に代えて、定規２８の前記端部に両芯糸１８、２０の端部と、結び糸２６の端部とをクリップ３４で挟み付け、さらに、クリップ３４を例えば粘着テープ（図示せず）を用いて前記任意の物体の他の例である机（図示せず）の上に固定することができる。あるいは、また、前記粘着テープを用いて、定規２８の前記端部と、両芯糸１８、２０の端部と、結び糸２６の端部とを前記机の上に固定することができる。
【００２５】
その後、好ましくは、両芯糸１８、２０をそれぞれ定規２８の両側縁２８ａ、２８ｂに対してほぼ平行に伸びるように配置位置を整える。
【００２６】
次に、図５に示すように、両芯糸１８、２０のうちの一方（図４で見て左方）の芯糸１８に対する結び糸２６のタッチング結びを行い、これにより一方の芯糸１８に結び目２２を形成する。
【００２７】
次に、一方の芯糸１８に形成された結び目２２を定規２８の両側縁２８ａ、２８ｂのうちの一方の側縁２８ａに当接させ、定規２８の一方の面２８ｃ上において結び糸２６を一方の芯糸１８から他方の芯糸２０に掛け渡す。次いで、他方（図４で見て右方）の芯糸２０に対する結び糸２６のタッチング結びにより他方の芯糸２０に結び目２４を形成する。
【００２８】
ここにおいて、前記タッチング結びは、結び目２４が定規２８の他方の側縁２８ｂに当接することとなるようにして行うことができる。これにより、先に形成された結び目２２と形成途中にある結び目２４とを定規２８の両側縁２８ａ、２８ｂ上に保持することができる。これは、その後に行う各結び目２２、２４の形成の繰り返しにおいても、同様である。これにより、各結び目２２、２４の形成に際して、両芯糸１８、２０を平行に維持しかつ結び糸２６を引っ張られた状態すなわち緊張状態におくことができる。その結果、両芯糸１８、２０が整列した、一定の幅寸法を有するはしご編み１２が得られる。
【００２９】
次に、他方の芯糸２０に形成された結び目２４を定規２８の他方の側縁２８ｂに当接させ、定規２８の他方の面２８ｄ下において結び糸２６を他方の芯糸２０から一方の芯糸１８に掛け渡す。その後、図６に示すように、両芯糸１８、２０に対する結び目２２、２４の形成及び結び糸２６の掛け渡しを繰り返し行う。これにより、結び糸２６が定規２８の伸長方向へジグザグに伸びる所望長さのはしご編み１２が製作される。
【００３０】
はしご編み１２の製作後、クリップ３４を緩め、定規２８と共に該定規の周囲に形成されたはしご編み１２をボード３２から取り外す。次に、定規２８を、はしご編み１２に対して両芯糸１８、２０の長手方向へ引張り、両芯糸１８、２０及びジグザグに伸びる結び糸２６の間から引き抜く。
【００３１】
ところで、前記したように、両結び目２２、２４はそれぞれ定規２８の両側縁２８ａ、２８ｂに当接しかつ結び糸２６は緊張状態におかれている。このことから、はしご編み１２の製作後において、定規２８は両芯糸１８、２０（より詳細には複数の結び目２２、２４）に挟持された状態にある。このため、両芯糸１８、２０相互間からの引き抜きに際し、両結び目２２、２４と定規２８の両側縁２８ａ、２８ｂとの間に比較的大きい摩擦力が働くことがある。そこで、定規２８を湾曲させることにより、その両側縁２８ａ、２８ｂの一方又は双方を両結び目２２、２４の一方又は双方から離し、これらの結び目２２、２４に対する当接状態を解除する。このとき、ジグザグに伸びる結び糸２６は定規２８の両面２８ｃ、２８ｄの一方に対して弛緩した状態で撓む。その結果、定規２８の抜き出しをより容易に行うことができる。
【００３２】
前記プレートからなる定規２８は、その両側縁２８ａ、２８ｂがフッ素樹脂皮膜のような減摩皮膜（図示せず）で覆われたものとすることができる。これによれば、定規２８の前記抜き出しの際における両側縁２８ａ、２８ｂの両結び目２２、２４に対する摩擦抵抗を低減することができ、これにより両結び目２２、２４に対する定規２８の相対移動をより円滑にすることができる。この例は、両芯糸１８、２０及び結び糸２６が金、銀、ステンレス、アルミニウム、鉄、ニッケル、銅等の金属糸からなる場合に特に好ましい。
【００３３】
定規２８を構成する前記プレートは、図７（ａ）に示すように、その端（例えば一端２８ｅ）から両側縁２８ａ、２８ｂ間を任意の方向へ伸びる少なくとも１つの切れ込み２９を有するものとすることができる。図示の例では、２つの切れ込み２９が互いに間隔をおいて配置され両側縁２８ａ、２８ｂと平行に伸びている。図示の例に代えて、切れ込み２９が両側縁２８ａ、２８ｂと非平行に伸び、あるいは、また、非直線的に伸びるものとすることができる。また、切れ込み２９の数は１又は３以上とすることができる。
【００３４】
これによれば、両芯糸１８、２０の端部をそれぞれ両切れ込み２９に通して前記プレートに引掛け、また、結び糸２６の端部を両切れ込み２９の一方に通して前記プレートに引掛けた状態におくことができる。切れ込み２９の数を１とするときは、両芯糸１８、２０の端部及び結び糸２６の端部を１つの切れ込み２９に通して前記プレートに引掛けることができる。また、３以上の切れ込み２９とするときは、両芯糸１８、２０の端部及び結び糸２６の端部をそれぞれ任意の切れ込み２９に通して前記プレートに引掛けることができる。
【００３５】
両芯糸１８、２０の端部及び結び糸２６の端部が前記プレートに引掛けられた状態にあるため、クリップ３４を用いてのあるいは前記粘着テープのような他の固定手段を用いての前記任意の物体への前記プレート、両芯糸１８、２０及び結び糸２６の固定作業をより容易に行うことができる（図７（ｂ）参照）。
【００３６】
また、定規２８は、図８（ａ）及び図８（ｂ）に示すように、切れ込みのような折り溝３６が設けられた前記プレートと同様の細長いプレートからなるものとすることができる。折り溝３６は前記プレートの両面２８ｃ、２８ｄの一方、図示の例にあっては、前記プレートの一方の面２８ｃの好ましくは幅方向中央に設けられ前記プレートの両端の一方から他方まで直線状に伸びている。これによれば、前記プレートを折り溝３６に沿って山形に折り曲げることができ、これにより、定規２８の前記抜き出しの際、同様に、その両側縁２８ａ、２８ｂの一方又は双方と製作後のはしご編み１２の両結び目２２、２４との当接を解除することができる。折り溝３６を有する前記プレートは、その使用に際し、クリップ３４でボード３２に固定することにより平坦な状態に維持することができる。
【００３７】
また、定規２８を、折り溝３６を有する前記プレートと、前記プレートの両端部の少なくとも一方に解除可能に被せられたキャップ３８（図８（ａ）参照）とからなるものとすることができる。キャップ３８は、好ましくは比較的軟質のプラスチックからなり、その内面において前記プレートの端部を取り巻きかつ接している。これによれば、折り溝３６を有する前記プレートを平坦な状態にして持ち運び、あるいは保管し、また、使用時にキャップ３８を取り外して使用に供することができる。
【００３８】
定規２８はこれをプレートからなるものとすることに代えて、矩形状のフレーム又は梯子状のフレームからなるもの（図示せず）とすることができる。この例にあっては、前記フレームを構成する互いに相対する平行な２つの伸長部分を以て、前記定規の両側縁とすることができる。
【００３９】
定規２８は、また、前記した例に代えて、例えば、図９に示す形態のもの、図１０（ａ）に示す形態のものとすることができる。
【００４０】
図９に示す定規２８はＣ形の横断面形状を有する扁平な筒状体からなる。前記筒状体は、定規２８の両面２８ｃ、２８ｄをそれぞれ規定する互いに相対する２つの扁平な面と、これらの２つの面に連なり定規２８の両側縁２８ａ、２８ｂをそれぞれ規定する２つの湾曲面とを有する。前記２つの扁平な面のうちの一方の面は、その長手方向へ伸びるスリット４０を有する。これによれば、両側縁２８ａ、２８ｂに対して互いに他の一方に向けて押圧力を及ぼすことにより、定規２８を、そのスリット４０の幅が狭まり、製作されたはしご編み１２の両結び目２２、２４から両側縁２８ａ、２８ｂが離れるように弾性変形させることができる。
【００４１】
図１０（ａ）に示す定規２８は全体に板状を呈する。図示の定規２８は互いに組み合わされた３つの部材４２、４４、４６からなり、図１０（ｂ）に示すように互いに分離可能である。各部材４２、４４、４６は直線的に伸びる細長い棒状体からなる。より詳細には、３つの部材４２、４４、４６のうちの２つの部材４２、４６が同一のコ字形の横断面形状を有し、また、残りの１つの部材４４が十字形の横断面形状を有する。十字形の部材４４は、両部材４２、４６間にあって両部材４２、４６に対してこれらの部材の伸長方向すなわち定規２８の両側縁２８ａ、２８ｂの伸長方向へ滑動可能に嵌合されている。
【００４２】
図１０に示す例によれば、中央の部材４４に対してその長手方向へ押圧力を及ぼすことにより、両側の２つの部材４２、４６に対してこれらの長手方向（定規２８の両側縁２８ａ、２８ｂの伸長方向）へ相対移動をさせ、両部材４２、４６間から中央の部材４４を抜き去ることができる。これにより、製作されたはしご編み１２の両結び目２２、２４から両部材４２、４６を離し、さらに、両結び目２２、２４間から両部材４２，４６を抜き去ることができる。３つの部材４２、４４、４６は、例えばこれらの周囲を輪ゴム（図示せず）で取り囲むことにより、互いに組み合わされた状態に維持することができる。
【符号の説明】
【００４３】
１０  製作補助具
１２  はしご編み
１８、２０  芯糸
２２、２４  結び目
２６  結び糸
２８  定規
２８ａ、２８ｂ  定規の側縁
２８ｅ  定規の端
２９  切れ込み
３０  目盛
３６  折り溝
３８  キャップ
４２、４４、４６  ３つの部材
【図１】
2019196560.tif 000003
【図２】
2019196560.tif 000004
【図３】
2019196560.tif 000005
【図４】
2019196560.tif 000006
【図５】
2019196560.tif 000007
【図６】
2019196560.tif 000008
【図７】
2019196560.tif 000009
【図８】
2019196560.tif 000010
【図９】
2019196560.tif 000011
【図１０】
2019196560.tif 000012